(57)【要約】【課題】溶着した樹脂継手の接合部内壁側でビードに因る流体の滞留が生じたり、流体の流れの圧力損失が増加したりしない、樹脂継手の溶着方法を提供する。【解決手段】樹脂継手１０の溶着方法は、加熱溶着性の樹脂継手１０と同じく加熱溶着性の樹脂チューブ材２０とのそれぞれの端面同士を当接させた接合面１２，２１を含む接合部３０を加熱溶着する方法であり、接合部３０のうち少なくとも接合面１２，２１を含む部分の外周面１０ａが露出するように樹脂継手１０と樹脂チューブ材２０とを配置し、溶着のための熱源６０を接合部３０から離隔して配置し、熱源６０からの輻射熱によって接合部３０を加熱して溶着する。【選択図】図１
2007278396.tif 000002
【特許請求の範囲】
【請求項１】
加熱溶着性の樹脂継手と同じく加熱溶着性の樹脂チューブ材とのそれぞれの端面同士を当接させた接合面を含む接合部を加熱することによって溶着する樹脂継手の溶着方法において、
前記接合部のうち少なくとも前記接合面を含む部分の外周面が露出するように前記樹脂継手と前記樹脂チューブ材とを配置し、
溶着のための熱源を前記接合部から離隔して配置し、
前記熱源からの輻射熱によって前記接合部を加熱して溶着することを特徴とする樹脂継手の溶着方法。
【請求項２】
加熱溶着性の樹脂継手と同じく加熱溶着性の樹脂チューブ材とのそれぞれの端面同士を当接させた接合面を含む接合部を加熱することによって溶着する樹脂継手の溶着方法において、
前記接合部のうち少なくとも前記接合面を含む部分の外周面が露出するように前記接合部の一部分を固定部材で固定し、
溶着のための熱源を前記接合部および前記固定部材から離隔して配置し、
前記熱源からの輻射熱によって前記接合部を加熱して溶着することを特徴とする樹脂継手の溶着方法。
【請求項３】
前記固定部材は、前記接合部の一部を被覆して固定することを特徴とする請求項２に記載の樹脂継手の溶着方法。
【請求項４】
加熱溶着性の樹脂継手と同じく加熱溶着性の樹脂チューブ材とのそれぞれの端面同士を当接させた接合面を含む接合部を加熱することによって溶着する樹脂継手の溶着方法において、
前記接合部のうち少なくとも前記接合面を含む部分の外周面が露出するように前記接合部の一部分を、前記樹脂継手および樹脂チューブ材を固定するクランプに設けた固定部材で固定し、
溶着のための熱源を前記接合部および前記固定部材から離隔して配置し、
前記熱源からの輻射熱によって前記接合部を加熱して溶着することを特徴とする樹脂継手の溶着方法。
【請求項５】
前記樹脂チューブ材は、樹脂継手であることを特徴とする請求項１、２、３または４に記載の樹脂継手の溶着方法。
【請求項６】
加熱溶着性の樹脂継手と同じく加熱溶着性の樹脂チューブ材とのそれぞれの端面同士を当接させた接合面を含む接合部を加熱することによって溶着した樹脂継手の接合部構造において、
前記接合部は、外周面および内周面になだらかな膨らみを有することを特徴とする樹脂継手の接合部構造。
【請求項７】
前記接合部の膨らみの透明度が他の部分よりも高いことを特徴とする請求項６に記載の樹脂継手の接合部構造。
【請求項８】
前記樹脂チューブ材は、樹脂継手であることを特徴とする請求項６または７に記載の樹脂継手の接合部構造。
【発明の詳細な説明】
【技術分野】
【０００１】
本発明は、加熱溶着性の樹脂継手と同じく加熱溶着性の樹脂チューブとのそれぞれの端面同士を当接させた接合面を含む接合部を加熱することによって溶着する樹脂継手の溶着方法および樹脂継手の接合部構造に関する。
【背景技術】
【０００２】
従来から樹脂継手と樹脂チューブとを加熱溶着する方法として、差込溶着やバット溶着などの溶着方法があった。これらの溶着方法では、樹脂チューブ材の端面同士を突き合わせた接合部を加熱して溶着していた。加熱の際には、接合部の外周面に耐熱性の固定部材の内壁面が当接している。この固定部材を取り囲むようにして溶接装置の熱源が配されている。固定部材は、接合部を固定するとともに溶接装置の熱源からの熱を接合部に伝導する。
【０００３】
このように配置された状態で接合部を加熱していくと、接合部では樹脂継手および樹脂チューブ双方ともに溶融してそれらが一体になる。この際、接合部の外周面には固定部材が当接しているので、加熱により溶融した樹脂が接合部の外周面側に流れ出たり、外周面側に膨らんだりすることはない。しかし、接合部の内周面には何も当接していないので、溶融した樹脂が内周面側に流れ出てビードが発生してしまう。
【０００４】
この樹脂チューブ材の内側にあるビードは、樹脂チューブ材内を流れる流体を滞留させてしまうおそれがあるという問題がある。また、このビードは、流体の流れに圧力損失を増加させるおそれがあるという問題がある。
【０００５】
そこで、このようなビードの発生を防止しながら樹脂チューブ材を溶着する方法として、接合部の内周面に接する芯体を挿入しておいたり（特許文献１）、内周支持装置としてのブラダー（特許文献２）を挿入したりして加熱することにより、これら芯体やブラダーによって接合部の内周面にビードが膨出することを抑えるものがある。
【０００６】
【特許文献１】特開平５−１０４６３２号公報
【特許文献２】特開平１−１１０１２７号公報
【発明の開示】
【発明が解決しようとする課題】
【０００７】
しかしながら、このような従来の技術では、接合部内側に芯体やブラダーを挿入するので、溶着のための工程が増えてしまう上に、その工程に必要な芯体やブラダーなどの部材が必要なのでその分のコストが上昇するという問題点があった。
【０００８】
本発明は、このような従来の技術が有する問題点に着目してなされたもので、溶着した樹脂継手の接合部内壁側でビードに因る流体の滞留が生じたり、流体の流れの圧力損失が増加したりしない、樹脂継手の溶着方法および樹脂継手の接合構造を提供することを目的としている。
【課題を解決するための手段】
【０００９】
かかる目的を達成するための本発明の要旨とするところは、次の各項の発明に存する。
［１］  加熱溶着性の樹脂継手（１０）と同じく加熱溶着性の樹脂チューブ材（２０）とのそれぞれの端面同士を当接させた接合面（１２，２１）を含む接合部（３０）を加熱することによって溶着する樹脂継手（１０）の溶着方法において、
前記接合部（３０）のうち少なくとも前記接合面（１２，２１）を含む部分の外周面（１０ａ）が露出するように前記樹脂継手（１０）と前記樹脂チューブ材（２０）とを配置し、
溶着のための熱源（６０）を前記接合部（３０）から離隔して配置し、
前記熱源（６０）からの輻射熱によって前記接合部（３０）を加熱して溶着することを特徴とする樹脂継手（１０）の溶着方法。
【００１０】
［２］  加熱溶着性の樹脂継手（１０）と同じく加熱溶着性の樹脂チューブ材（２０）とのそれぞれの端面同士を当接させた接合面（１２，２１）を含む接合部（３０）を加熱することによって溶着する樹脂継手（１０）の溶着方法において、
前記接合部（３０）のうち少なくとも前記接合面（１２，２１）を含む部分の外周面（１０ａ）が露出するように前記接合部（３０）の一部分を固定部材（５０）で固定し、
溶着のための熱源（６０）を前記接合部（３０）および前記固定部材（５０）から離隔して配置し、
前記熱源（６０）からの輻射熱によって前記接合部（３０）を加熱して溶着することを特徴とする樹脂継手（１０）の溶着方法。
【００１１】
［３］  前記固定部材（５０）は、前記接合部（３０）の一部を被覆して固定することを特徴とする［２］に記載の樹脂継手（１０）の溶着方法。
【００１２】
［４］  加熱溶着性の樹脂継手（１０）と同じく加熱溶着性の樹脂チューブ材（２０）とのそれぞれの端面同士を当接させた接合面（１２，２１）を含む接合部（３０）を加熱することによって溶着する樹脂継手（１０）の溶着方法において、
前記接合部（３０）のうち少なくとも前記接合面（１２，２１）を含む部分の外周面（１０ａ）が露出するように前記接合部（３０）の一部分を、前記樹脂継手（１０）および樹脂チューブ材（２０）を固定するクランプ（７０）に設けた固定部材（８０）で固定し、
溶着のための熱源（６０）を前記接合部（３０）および前記固定部材（８０）から離隔して配置し、
前記熱源（６０）からの輻射熱によって前記接合部（３０）を加熱して溶着することを特徴とする樹脂継手（１０）の溶着方法。
［５］  前記樹脂チューブ材（２０）は、樹脂継手（１０）であることを特徴とする［１］、［２］、［３］または［４］に記載の樹脂継手（１０）の溶着方法。
【００１３】
［６］  加熱溶着性の樹脂継手（１０）と同じく加熱溶着性の樹脂チューブ材（２０）とのそれぞれの端面同士を当接させた接合面（１２，２１）を含む接合部（３０）を加熱することによって溶着した樹脂継手（１０）の接合部構造において、
前記接合部（３０）は、外周面（１０ａ）および内周面（１０ｂ，２０ｂ）になだらかな膨らみを有することを特徴とする樹脂継手（１０）の接合部構造。
【００１４】
［７］  前記接合部（３０）の膨らみの透明度が他の部分よりも高いことを特徴とする［６］に記載の樹脂継手（１０）の接合部構造。
【００１５】
［８］  前記樹脂チューブ材（２０）は、樹脂継手（１０）であることを特徴とする［６］または［７］に記載の樹脂継手（１０）の接合部構造。
【００１６】
前記本発明は次のように作用する。  
加熱溶着性の樹脂継手（１０）と同じく加熱溶着性の樹脂チューブ材（２０）とを連通するように接続するために、それぞれの端面同士を当接させた接合面（１２，２１）を含む接合部（３０）を外部から加熱し、溶融させて溶着する。当接する端面を有する樹脂継手（１０）側の端部は、内周面（１０ｂ）の径を端面側から内部に向かって所定の所まで樹脂チューブ材（２０）の外径よりも僅かに大きく拡径してある。この拡径された部分に樹脂チューブ材（２０）の端部を挿入して、端面同士を当接させる。
【００１７】
この接合部（３０）のうち、樹脂継手（１０）側の端面には、少なくとも接合面（１２，２１）を含む部分の外周面（１０ａ）が露出するように接合部（３０）の一部分を固定する耐熱性の固定部材（５０）を装着してある。これにより、樹脂継手（１０）と樹脂チューブ材（２０）とは、接合状態を確実に維持することができる。このように固定した樹脂継手（１０）および樹脂チューブ材（２０）を溶着装置の所定位置に載置する。
溶着装置は、接合部（３０）を加熱するための熱源（６０）と、樹脂継手（１０）および樹脂チューブ材（２０）を押さえるためのクランプ（７０）とを備えており、所定の位置に載置した樹脂継手（１０）および樹脂チューブ材（２０）をクランプ（７０）で押さえてから加熱する。
接合部（３０）を加熱するための熱源（６０）は、接合部（３０）および固定部材（５０）から離隔して配置してあるので、接合部（３０）の加熱は熱源（６０）からの輻射熱によって行われる。
【００１８】
輻射熱を受けた接合部（３０）は、温度が上昇すると樹脂継手（１０）および樹脂チューブ材（２０）は溶融するとともに膨張するが、接合部（３０）は一部分を固定部材（５０）に覆われているだけなので、外周面（１０ａ）から外側へ向けて膨張することができる。この外側へ膨張する分だけ内周面（１０ｂ，２０ｂ）側に膨張する度合いが小さくなる。また、広い範囲に膨らむことができるので、外周面（１０ａ）側および内周面（１０ｂ，２０ｂ）側ともに膨らみがなだらかになる。溶融した樹脂継手（１０）と樹脂チューブ材（２０）とは溶け合って一体に溶着する。
【００１９】
このように溶着した樹脂継手（１０）および樹脂チューブ材（２０）は、接合部（３０）の内周面（１０ｂ，２０ｂ）側にビードが生じてもビードはなだらかで膨らみも小さいので、完成品内を流れる流体の滞留や流れの圧力損失の増加などの悪影響がない程度にすることができる。
【００２０】
さらに、接合部（３０）の外周面（１０ａ）側は、ほとんどの部分で露出しており、加熱溶着に際して接触するものがないので、滑らかで綺麗な外周面（１０ａ）になる。
【００２１】
なお、ＰＦＡの樹脂継手（１０）および樹脂チューブ材（２０）を溶着する場合には、加熱によって溶融するとその部分がより透明化するので、そのより透明化した度合いを目視することにより、溶着の度合いを判断することができる。
【００２２】
また、樹脂継手（１０）に溶着する樹脂チューブ材（２０）は、加熱溶着性の樹脂継手（１０）でもよい。これにより、複雑な樹脂継手（１０）を製造することができる。
さらに、前記固定部材（５０）を樹脂継手（１０）および樹脂チューブ材（２０）が溶着しないガラスやセラミックなどの素材のものとして、クランプ（７０）に設けた固定部材（８０）とすれば、樹脂継手（１０）側の端面に固定部材（５０）を装着する必要がない。
【発明の効果】
【００２３】
本発明にかかる樹脂継手の溶着方法によれば、樹脂継手および樹脂チューブ材の接合部のうち少なくとも接合面を含む部分の外周面を露出させ、接合部から離隔している熱源の輻射熱によって加熱溶着することにより、加熱の際に接合部は外周面側にも膨らみ、内周面側へ膨らむ度合いが小さくなり、かつ、膨らみもなだらかになるので、溶着した樹脂継手および樹脂チューブの接合部の内周面側にビードが生じても流体の滞留や流体の流れの圧力損失の増加などの悪影響がない程度にすることができる。
【００２４】
さらに、接合部から熱源が離れているので、接合部の外周面を滑らかで綺麗にすることができる。
【００２５】
また、熱源に遮られることなく溶着中の接合部を目視できるので、溶着具合を確認することが容易であり、ＰＦＡの場合には、加熱によって溶融するとより透明になるので、より一層容易に溶着具合の確認ができる。
【００２６】
本発明にかかる樹脂継手の接合部構造によれば、樹脂チューブ材を接続した樹脂継手は、上記樹脂継手の溶着方法によって樹脂チューブ材を溶着した樹脂継手の効果と同様の効果を発揮することができる。
【発明を実施するための最良の形態】
【００２７】
以下、図面に基づき本発明の好適な一実施の形態を説明する。  
各図は本発明の一実施の形態を示している。  
図１は、本発明の一実施の形態に係る溶着方法で溶着する際の樹脂継手と樹脂チューブ材との接続状態を示す縦断面図である。図２は、図１の矢印Ａ方向から見た樹脂継手と樹脂チューブ材と熱源との配置を示す図である。
【００２８】
樹脂継手１０と樹脂チューブ材２０とは、加熱溶着性の素材によって形成されている。加熱溶着性の素材とは、例えばテトラフルオロエチレン−パーフルオロアルキルビニルエーテル共重合体（ＰＦＡ）等のフッ素樹脂である。
【００２９】
図１に例示した樹脂継手１０は、ストレート継手であるが、Ｌ字型に屈曲したエルボ継手やＴ字型に分岐したＴ字継手であってもよい。樹脂チューブ材２０は、例えば、管状の樹脂チューブである。
【００３０】
これら樹脂継手１０と樹脂チューブ材２０とは、溶着する管端部の端面同士が接触して下記の接合面１２，２１を成すように形成されている。この接合面１２，２１を含む接合部３０が溶着の際に加熱される。
【００３１】
溶着の際には、樹脂チューブ材２０の管端部が樹脂継手１０の管端部内に挿入される。樹脂チューブ材２０は、樹脂継手１０に挿入される管端部の端面が外周面２０ａから内周面２０ｂに向かって傾斜し、樹脂継手１０の端面の一部と当接する内向面２１（接合面）が形成されている。
【００３２】
一方、図３、図５〜図８までにも示したように、樹脂継手１０は、樹脂チューブ材２０を受け入れる管端部の出口から内部に向かって樹脂チューブ材２０の外径とほぼ同じで僅かに大きく拡径された、接触面１１が形成されている。樹脂チューブ材２０は、外周面２０ａが接触面１１に接するようにして挿入することができる。この接触面１１の終了した所から、樹脂チューブ材２０の内向面２１に面接触して当接するように外向面１２（接合面）が形成されている。この外向面１２は、樹脂継手１０の内周面１０ｂまで至らず、その終端からは樹脂継手１０の奥に向かう内向面１３が内周面１０ｂまで形成されている。また、樹脂継手１０の外周面１０ａは、管端部で外径が小さくなった形状に形成されている。これは、後述するように、加熱溶着の際に内周面１０ｂが外側に膨らむ分を相殺するための形状である。
【００３３】
樹脂チューブ材２０の内向面２１のうち樹脂継手１０側に接触していない面と内向面１３とは凹部４０を形成している。この凹部４０は、接合部３０を加熱したときに溶融した部分の一部が溜まる部分である。この凹部４０により、溶融した部分が内周面１０ｂ，２０ｂ側へ膨出する度合いを小さくすることができる。
【００３４】
接合部３０は、樹脂継手１０の端面に耐熱性の固定部材５０が装着される。図４から図１０までにも示したように、固定部材５０は、樹脂継手１０の管端部の外径よりも僅かに大きい内径の継手側内壁部５１と、該継手側内壁部５１の内径よりも小さく、樹脂チューブ材２０の管端部の外径よりも僅かに大きい内径のチューブ材側内壁部５２とを有する管状部材である。
【００３５】
この固定部材５０は、樹脂継手１０と樹脂チューブ材２０とを溶着する際に、接合部３０の樹脂継手１０側管端部に継手側内壁部５１側を外嵌させ、チューブ材側内壁部５２側から樹脂チューブ材２０側管端部を挿通させることにより、樹脂継手１０と樹脂チューブ材２０とを固定するものである。チューブ材側内壁部５２の径と樹脂継手１０の接触面１１の径とは同じ若しくはほぼ同じであるので固定部材５０を樹脂継手１０に外嵌させたときに、チューブ材側内壁部５２と接触面１１とを滑らかにつながる面とすることができる。
【００３６】
固定部材５０は、樹脂継手１０および樹脂チューブ材２０を加熱溶着する際に、少なくとも接合面１２，２１を含む部分の外周面１０ａを露出させ、かつ、樹脂継手１０と樹脂チューブ材２０との接合状態を確実に維持することができる程度に短い全長を有している。この固定部材５０には、例えば、ポリ・テトラ・フロロ・エチレン（ＰＴＦＥ）が用いられている。また、固定部材５０は、耐熱ガラスあるいは、セラミックなどを用いて樹脂継手１０と樹脂チューブ材２０との溶着が完了した後に外すようにしてもよい。
【００３７】
接合部３０を加熱して溶着するための溶着装置は、熱源６０と、加熱中に樹脂継手１０および樹脂チューブ材２０を押さえておくためのクランプ７０とを備えている。クランプ７０は、２つに分割されており、樹脂継手１０および樹脂チューブ材２０を押さえる閉じ位置（図１に示した位置）と、該閉じ位置から矢印Ｃ方向に開いた開き位置との間を揺動可能に支持されている。熱源６０も２つに分割されており、それぞれは、２つに分割されたクランプ７０の片方ずつに配設されている。この熱源６０は、樹脂継手１０および樹脂チューブ材２０の接合部３０を溶着装置の所定の位置に載置したときに、接合部３０から所定の間隙６５だけ離隔し、かつ、接合部３０を囲むように配設されている。したがって、この接合部３０および固定部材５０の加熱は、従来技術が熱源６０を固定部材５０などに直接に接触させて加熱していたのとは異なり、熱源６０からの輻射熱によって行われる。
【００３８】
次に作用を説明する。  
樹脂継手１０と樹脂チューブ材２０とを溶着させるときは、図５に示したように樹脂継手１０の管端部に固定部材５０の継手側内壁部５１側を外嵌させる。  
次に、図６に示したように、固定部材５０のチューブ材側内壁部５２側から樹脂チューブ材２０の管端部を挿通させる。樹脂チューブ材２０を押し込めないところまで挿入すると、図７に示したように樹脂チューブ材２０の端面の内向面２１が樹脂継手１０の端面の外向面１２に当接する。接合部３０は、一部が固定部材５０に覆われているだけで、接合面１２，２１を含む部分の外周面１０ａが露出している。
【００３９】
次に、溶着装置のクランプ７０を開き位置にしておき、接合部３０を溶着装置の所定位置に載置してからクランプ７０を閉じ位置にする。このとき、図１および図８に示すように、接合部３０は、熱源６０に非接触でかつ熱源６０に外周面１０ａ全体を囲まれている。この状態で熱源６０からの輻射熱による加熱を開始する。
【００４０】
輻射熱を受けて接合部３０および固定部材５０の温度が上昇すると、固定部材５０はＰＴＦＥ等の耐熱性の素材から作られている場合には、一部に接合部３０が溶着したり、多少は膨張したりするが、溶融はしない。一方、樹脂継手１０と樹脂チューブ材２０とから成る接合部３０は、溶融するとともに膨張する。
【００４１】
この膨張による突出は、接合部３０の外周面１０ａから外向きおよび内周面１０ｂ，２０ｂから内向きの双方向に起こる。このため、膨張が２方向に分散されるために外周面１０ａおよび内周面１０ｂ，２０ｂの何れの面においても突出する度合いは小さい。
【００４２】
また、熱源６０に晒されている広い範囲で膨らむことになり、外周面１０ａ側および内周面１０ｂ，２０ｂ側ともに膨らみがなだらかになるので、突出する度合いがより小さくなる。特に、内周面１０ｂ，２０ｂ側では、凹部４０を設けてあるので、凹部４０によって突出が相殺される分もあり、内周面１０ｂ，２０ｂ側に突出する度合いはさらに小さくなる。
【００４３】
また、図９において符号Ｂで示した部分の幅分で加熱のバラツキが吸収されるので、溶着された接合部３０が均質になる。
溶着が終了した樹脂継手１０および樹脂チューブ材２０は、クランプ７０を矢印Ｃ方向に開いて開き位置にすることにより、溶着装置から取り出すことができる。樹脂継手１０および樹脂チューブ材２０は、接合部３０の内周面１０ｂ，２０ｂ側にビードが生じてもビードはなだらかな膨らみで、突出度合いが小さいので、内部を流す流体に滞留が生じたり、流れの圧力損失の増加などの悪影響が出たりしないようにすることができる。
【００４４】
前記のように熱源６０は、接合部３０や固定部材５０から離隔しており、加熱溶着中および加熱溶着の前後ともにこれらと非接触であるので、接合部３０の外周面１０ａや固定部材５０の表面は滑らかで綺麗なものになる。
【００４５】
また、樹脂継手１０および樹脂チューブ材２０がともにＰＦＴの場合には、加熱によって接合部３０が溶融すると溶融した部分が透明化するので、その透明化の度合いを目視することにより、溶着の度合いを判断することができる。
【００４６】
以上の記述では樹脂継手１０に溶着する樹脂チューブ材２０を加熱溶着性の樹脂チューブとしたが、樹脂チューブに替えて加熱溶着性の樹脂継手１０にしてもよい。すなわち、樹脂継手同士を溶着してもよい。これにより、複雑な形状の樹脂継手１０を製造することができる。
なお、図１１に示したように、クランプ７０に２つに分割した固定部材８０を設けてもよい。この固定部材８０は、クランプ７０が樹脂継手１０および樹脂チューブ材２０を押さえる部分から内側に延びるように設けられている。固定部材８０の素材は、樹脂継手１０および樹脂チューブ材２０に溶着しないものならばよく、例えば、ガラスやセラミックなどである。これにより、樹脂継手１０側の端面に前記のような固定部材５０を予め装着しておく必要がない。
【図面の簡単な説明】
【００４７】
【図１】本発明の一実施の形態に係る溶着方法で溶着する際の樹脂継手と樹脂チューブ材との接続状態を示す縦断面図である。
【図２】図１の矢印Ａ方向から見た樹脂継手と樹脂チューブ材と熱源との配置を示す図である。
【図３】本発明の一実施の形態に係る樹脂継手を示す図であり、（Ａ）は溶着する管端部側から見た図であり、（Ｂ）は縦断面図であり、（Ｃ）は、（Ｂ）における３Ｂ−３Ｂ線断面図である。
【図４】図１における固定部材を示す図であり、（Ａ）は正面図であり、（Ｂ）は縦断面図であり、（Ｃ）は背面図である。
【図５】図３の樹脂継手と図４の固定部材を示す図であり、（Ａ）は、樹脂継手に固定部材を嵌着する仕方を説明する説明図であり、（Ｂ）は樹脂継手に固定部材を嵌着した状態を示す縦断面図である。
【図６】図５（Ｂ）の樹脂継手に固定部材を嵌着したものに、樹脂チューブ材を挿着する仕方を説明する説明図である。
【図７】固定部材を嵌着してある樹脂継手に樹脂チューブ材を挿着した状態を示す縦断面図である。
【図８】加熱溶着の際の熱源と図７の樹脂継手および樹脂チューブ材との位置関係を示す説明図である。
【図９】加熱溶着しているときの図８の樹脂継手および樹脂チューブ材の状態を示す縦断面図である。
【図１０】図８の樹脂継手および樹脂チューブ材の加熱溶着が終了したときの樹脂継手および樹脂チューブ材の状態を示す縦断面図である。
【図１１】固定部材を溶着装置に設けてある場合の樹脂継手と樹脂チューブ材との接続状態を示す縦断面図である。
【符号の説明】
【００４８】
１０…樹脂継手
１０ａ…外周面
１０ｂ…内周面
１１…接触面
１２…外向面
１３…内向面
２０…樹脂チューブ材
２０ａ…外周面
２０ｂ…内周面
２１…内向面
３０…接合部
４０…凹部
５０…固定部材
５１…継手側内壁部
５２…チューブ材側内壁部
６０…熱源
６５…間隙
７０…クランプ
８０…固定部材
【図１】
2007278396.tif 000003
【図２】
2007278396.tif 000004
【図３】
2007278396.tif 000005
【図４】
2007278396.tif 000006
【図５】
2007278396.tif 000007
【図６】
2007278396.tif 000008
【図７】
2007278396.tif 000009
【図８】
2007278396.tif 000010
【図９】
2007278396.tif 000011
【図１０】
2007278396.tif 000012
【図１１】
2007278396.tif 000013